(57)【要約】【課題】２つの意匠の選択的な表示を、視認性よく実現することができる入力装置を提供する。【解決手段】入力装置１００は、押圧式のスイッチ１５５と、第１光源１６５ａと第２光源１６５ｂとを有する光源１６５と、光源から発光された光を導く導光体１７２と、を備え、導光体は、光を出射する出射部１８１と、第１光を出射部に導く第１導光脚部１８２と、第２光を出射部に導く第２導光脚部１８３と、を有し、出射部１８１は、第１光を反対方向側に向けて反射する第１意匠１９１と、第２光を反対方向側に向けて反射する第２意匠１９２と、を有し、第１導光脚部および第２導光脚部のそれぞれは、各導光脚部における幅方向に面する反射面１８４、１８５であって、（ｉ）階段形状の複数の脚部側面、（ｉｉ）導光方向に異なる角度の複数の脚部側面、及び、（ｉｉｉ）曲面である１つの脚部側面の少なくとも１つにより構成され、対応する光を反射する反射面を有する。【選択図】図９
2018088335.tif 000002
【特許請求の範囲】
【請求項１】
押圧式のスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く板状の第１導光脚部と、
前記出射部に接続され、前記第２光源により発光された第２光を前記出射部に導く板状の第２導光脚部と、を有し、
前記出射部は、前記第１光を前記反対方向側に向けて反射することで発光する第１意匠と、前記第２光を前記反対方向側に向けて反射することで発光する第２意匠と、を有し、
前記第１導光脚部は、前記第１導光脚部における、前記第１導光脚部の厚み方向および前記第１光を導く第１導光方向に交差する第１幅方向に面する第１反射面であって、（ｉ）階段形状の面のうちの前記第１幅方向に面する複数の第１脚部側面、（ｉｉ）前記第１導光方向に対し互いに異なる角度で形成されている複数の第１脚部側面、および、（ｉｉｉ）曲面である１つの第１脚部側面の少なくとも１つにより構成され、前記第１光を反射する第１反射面を有し、
前記第２導光脚部は、前記第２導光脚部における、前記第２導光脚部の厚み方向および前記第２光を導く第２導光方向に交差する第２幅方向に面する第２反射面であって、（ｉ）階段形状の面のうちの前記第２幅方向に面する複数の第２脚部側面、（ｉｉ）前記第２導光方向に対し互いに異なる角度で形成されている複数の第２脚部側面、および、（ｉｉｉ）曲面である１つの第２脚部側面の少なくとも１つにより構成され、前記第２光を反射する第２反射面を有する
入力装置。
【請求項２】
前記第１光が前記第１意匠に入射する第１方向と、前記第２光が前記第２意匠に入射する第２方向とは、互いに交差している
請求項１に記載の入力装置。
【請求項３】
前記出射部は、平板状の部位であり、
前記第１導光脚部及び前記第２導光脚部は、前記出射部に対して所定の角度で曲がっている部分により接続されている
請求項１または２に記載の入力装置。
【請求項４】
前記第１意匠と前記第２意匠との少なくとも一部は、互いに重なるように形成されている
請求項１から３のいずれか１項に記載の入力装置。
【請求項５】
前記出射部は、
前記第１光が前記第１意匠に入射する第１方向の延長線上に配置され、かつ、前記第１方向に交差し、かつ、前記第１方向側が外部に開放されている第１段差面と、
前記第２光が前記第２意匠に入射する第２方向の延長線上に配置され、かつ、前記第２方向に交差し、かつ、前記第２方向側が外部に開放されている第２段差面と、を有する
請求項１から４のいずれか１項に記載の入力装置。
【請求項６】
前記出射部は、
前記第１方向及び前記第２方向に交差する第３方向に、複数の前記第１段差面と複数の前記第２段差面とが交互に並んで配置されている
請求項５に記載の入力装置。
【請求項７】
前記第１段差面及び前記第２段差面は、黒色に着色されている
請求項５または６に記載の入力装置。
【請求項８】
前記スイッチと、前記第１光源と、前記第２光源とは、同一の配線基板に実装されている
請求項１から７のいずれか１項に記載の入力装置。
【請求項９】
前記複数の第１脚部側面は、３以上であり、
前記複数の第２脚部側面は、３以上である
請求項１に記載の入力装置。
【発明の詳細な説明】
【技術分野】
【０００１】
本発明は、入力装置に関する。
【背景技術】
【０００２】
従来、光源が発した光を導光させることで、スイッチノブの表示操作部に表示意匠を表示させる照光表示入力装置が知られている（特許文献１参照）。
【先行技術文献】
【特許文献】
【０００３】
【特許文献１】特開２０１３−２５４５９７号公報
【発明の概要】
【発明が解決しようとする課題】
【０００４】
ところで、スイッチの操作の対象となる部位の表面に、異なる形状を有する２つの意匠のうちの１つを選択的に表示させるニーズがあるが、特許文献１の技術では、２つの意匠のうちの１つを選択的に表示させることはできない。また、２つの意匠のうちの１つを選択的に表示させようとすれば、表示させた意匠の視認性が悪くなるという課題がある。
【０００５】
そこで、本発明は、２つの意匠の選択的な表示を、視認性よく実現することができる入力装置を提供する。
【課題を解決するための手段】
【０００６】
本発明の一態様に係る入力装置は、押圧式のスイッチと、第１光源と、前記第１光源と異なる位置に配置される第２光源と、を有する光源と、前記光源から発光された光を、前記スイッチの押圧方向とは反対方向に向けて光を導く導光体と、を備え、前記導光体は、前記スイッチの前記反対方向側に設けられ、前記光源により発光された光を前記反対方向に向けて出射する出射部と、前記出射部に接続され、前記第１光源により発光された第１光を前記出射部に導く板状の第１導光脚部と、前記出射部に接続され、前記第２光源により発光された第２光を前記出射部に導く板状の第２導光脚部と、を有し、前記出射部は、前記第１光を前記反対方向側に向けて反射することで発光する第１意匠と、前記第２光を前記反対方向側に向けて反射することで発光する第２意匠と、を有し、前記第１導光脚部は、前記第１導光脚部における、前記第１導光脚部の厚み方向および前記第１光を導く第１導光方向に交差する第１幅方向に面する第１反射面であって、（ｉ）階段形状の面のうちの前記第１幅方向に面する複数の第１脚部側面、（ｉｉ）前記第１導光方向に対し互いに異なる角度で形成されている複数の第１脚部側面、および、（ｉｉｉ）曲面である１つの第１脚部側面の少なくとも１つにより構成され、前記第１光を反射する第１反射面を有し、前記第２導光脚部は、前記第２導光脚部における、前記第２導光脚部の厚み方向および前記第２光を導く第２導光方向に交差する第２幅方向に面する第２反射面であって、（ｉ）階段形状の面のうちの前記第２幅方向に面する複数の第２脚部側面、（ｉｉ）前記第２導光方向に対し互いに異なる角度で形成されている複数の第２脚部側面、および、（ｉｉｉ）曲面である１つの第２脚部側面の少なくとも１つにより構成され、前記第２光を反射する第２反射面を有する。
【発明の効果】
【０００７】
本発明の入力装置では、２つの意匠の選択的な表示を、視認性よく実現することができる。
【図面の簡単な説明】
【０００８】
【図１】実施の形態に係るステアリング入力装置が配置された車両の車室の一例を示す図である。
【図２】実施の形態に係るステアリング入力装置の使用例を示す図である。
【図３】実施の形態に係る入力装置の外観斜視図である。
【図４】実施の形態に係る入力装置を前側から見た正面図である。
【図５】実施の形態に係る入力装置の分解斜視図である。
【図６】図４のＶＩ−ＶＩ断面図である。
【図７】図４のＶＩＩ−ＶＩＩ断面図である。
【図８】第１意匠が表示されているときの導光体をＺ軸方向プラス側から見た正面図である。
【図９】第１意匠が表示されているときの導光体と第１光源及び第２光源との関係を示す斜視図である。
【図１０】第２意匠が表示されているときの導光体をＺ軸方向プラス側から見た正面図である。
【図１１】第２意匠が表示されているときの導光体と第１光源及び第２光源との関係を示す斜視図である。
【図１２】導光体のＸ−Ｙ平面による断面図である。
【図１３】第１光源及び第２光源から発光された光の、導光体の出射部における経路を説明するための図である。
【図１４】出射部の第１意匠および第２意匠の一部を拡大した図である。
【図１５】導光体の斜視図において第２光の経路を示した図である。
【図１６】導光体の第２導光脚部を正面視し、かつ、出射部での導光経路を展開図的に仮想的に示した図である。
【図１７】変形例１に係る導光体の斜視図である。
【図１８】変形例１に係る導光体の第２導光脚部を正面視し、かつ、出射部での導光経路を展開図的に仮想的に示した図である。
【図１９】変形例２に係る導光体の第２導光脚部を正面視し、かつ、出射部での導光経路を展開図的に仮想的に示した図である。
【図２０】変形例３に係る導光体の構成を示す図である。
【図２１】変形例４に係る導光体の構成を示す図である。
【図２２】第１意匠が表示されているときの導光体をＺ軸方向プラス側から見た正面図である。
【図２３】第１意匠が表示されているときの第１導光体と第１光源及び第２光源との関係を示す斜視図である。
【図２４】第２意匠が表示されているときの導光体をＺ軸方向プラス側から見た正面図である。
【図２５】第２意匠が表示されているときの第１導光体と第１光源及び第２光源との関係を示す斜視図である。
【図２６】第１光源及び第２光源から発光された光の、第１導光体の出射部における経路を説明するための図である。
【図２７】出射部のうちの第１意匠の一部を拡大した図である。
【発明を実施するための形態】
【０００９】
本発明の一態様に係る入力装置は、押圧式のスイッチと、第１光源と、前記第１光源と異なる位置に配置される第２光源と、を有する光源と、前記光源から発光された光を、前記スイッチの押圧方向とは反対方向に向けて光を導く導光体と、を備え、前記導光体は、前記スイッチの前記反対方向側に設けられ、前記光源により発光された光を前記反対方向に向けて出射する出射部と、前記出射部に接続され、前記第１光源により発光された第１光を前記出射部に導く板状の第１導光脚部と、前記出射部に接続され、前記第２光源により発光された第２光を前記出射部に導く板状の第２導光脚部と、を有し、前記出射部は、前記第１光を前記反対方向側に向けて反射することで発光する第１意匠と、前記第２光を前記反対方向側に向けて反射することで発光する第２意匠と、を有し、前記第１導光脚部は、前記第１導光脚部における、前記第１導光脚部の厚み方向および前記第１光を導く第１導光方向に交差する第１幅方向に面する第１反射面であって、（ｉ）階段形状の面のうちの前記第１幅方向に面する複数の第１脚部側面、（ｉｉ）前記第１導光方向に対し互いに異なる角度で形成されている複数の第１脚部側面、および、（ｉｉｉ）曲面である１つの第１脚部側面の少なくとも１つにより構成され、前記第１光を反射する第１反射面を有し、前記第２導光脚部は、前記第２導光脚部における、前記第２導光脚部の厚み方向および前記第２光を導く第２導光方向に交差する第２幅方向に面する第２反射面であって、（ｉ）階段形状の面のうちの前記第２幅方向に面する複数の第２脚部側面、（ｉｉ）前記第２導光方向に対し互いに異なる角度で形成されている複数の第２脚部側面、および、（ｉｉｉ）曲面である１つの第２脚部側面の少なくとも１つにより構成され、前記第２光を反射する第２反射面を有する。
【００１０】
このため、第１光は、第１導光脚部の第１反射面において、互いに異なる複数の角度で反射される。これにより、第１光は、出射部の第１意匠に異なる複数の角度で導かれることとなり、第１意匠から所定の角度で広がった状態で反射される。また、第２光は、第２導光脚部の第２反射面において、互いに異なる複数の角度で反射される。これにより、第２光は、出射部の第２意匠に異なる複数の角度で導かれることとなり、第２意匠から所定の角度で広がった状態で反射される。
【００１１】
これらのことにより、第１意匠および第２意匠を、正面からだけでなく、正面から傾いた角度から見た場合でもユーザが視認しやすくできる。よって、２つの意匠の選択的な表示を、視認性よく実現することができる。
【００１２】
また、前記第１光が前記第１意匠に入射する第１方向と、前記第２光が前記第２意匠に入射する第２方向とは、互いに交差していてもよい。
【００１３】
これによれば、第１方向と第２方向とは互いに交差しているため、第１光が第２意匠に反射されること、または、第２光が第１意匠に反射されることを低減することができる。つまり、対応していない光を反射しないので、表示させようとしていない別の意匠がわずかに表示されてしまうことを低減することができる。
【００１４】
また、前記出射部は、平板状の部位であり、前記第１導光脚部及び前記第２導光脚部は、前記出射部に対して所定の角度で曲がっている部分により接続されていてもよい。
【００１５】
このため、例えば、第１光源と第２光源とを同一の基板の一方の主面に実装している場合であっても、容易に第１光及び第２光を出射部に導くことができる。
【００１６】
また、前記第１意匠と前記第２意匠との少なくとも一部は、互いに重なるように形成されていてもよい。
【００１７】
このため、出射部の構成をコンパクトにすることができる。
【００１８】
また、前記出射部は、前記第１光が前記第１意匠に入射する第１方向の延長線上に配置され、かつ、前記第１方向に交差し、かつ、前記第１方向側が外部に開放されている第１段差面と、前記第２光が前記第２意匠に入射する第２方向の延長線上に配置され、かつ、前記第２方向に交差し、かつ、前記第２方向側が外部に開放されている第２段差面と、を有してもよい。
【００１９】
このため、第１意匠に入射した光のうち、第１意匠に反射されなかった光が出射部の端部において第１方向とは異なる方向に反射されることを低減できる。同様に、第２意匠に入射した光のうち、第２意匠に反射されなかった光が出射部の端部において第２方向とは異なる方向に反射されることを低減できる。これにより、第１意匠及び第２意匠の表示には関係しない光が出射部内に留まることを低減でき、第１意匠及び第２意匠の１つを選択的に表示しているときに、他の部位が光って表示されることを低減できる。
【００２０】
また、前記出射部は、前記第１方向及び前記第２方向に交差する第３方向に、複数の前記第１段差面と複数の前記第２段差面とが交互に並んで配置されていてもよい。
【００２１】
これによれば、複数の第１段差面と複数の第２段差面とを同じ第３方向に並んで配置するため、出射部のうちの限られた領域に複数の第１段差面と複数の第２段差面とを配置できる。このため、より効果的に、第１意匠及び第２意匠の表示には関係しない光が出射部内に留まることを低減でき、第１意匠及び第２意匠の１つを選択的に表示しているときに、他の部位が光って表示されることを低減できる。
【００２２】
また、前記第１段差面及び前記第２段差面は、黒色に着色されていてもよい。
【００２３】
このため、第１段差面及び第２段差面で第１光又は第２光が反射されることを低減できる。このため、より効果的に、第１意匠及び第２意匠の表示には関係しない光が出射部内に留まることを低減でき、第１意匠及び第２意匠の１つを選択的に表示しているときに、他の部位が光って表示されることを低減できる。
【００２４】
また、前記スイッチと、前記第１光源と、前記第２光源とは、同一の配線基板に実装されていてもよい。
【００２５】
このため、簡単な構成で、スイッチと、第１光源と、第２光源とを配置することができる。また、入力装置をコンパクトな構成とすることが容易にできる。
【００２６】
また、前記複数の第１脚部側面は、３以上であり、前記複数の第２脚部側面は、３以上であるようにしてもよい。
【００２７】
このため、第１光は、３以上の複数の脚部側面を有する第１反射面において、第２光は、３以上の複数の脚部側面を有する第２反射面において、それぞれ反射されるので、第１意匠および第２意匠を、正面からさらに傾いた角度から見た場合でもユーザが視認しやすくできる。
【００２８】
以下、本発明の一態様に係る入力装置について、図面を参照しながら具体的に説明する。
【００２９】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３０】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００３１】
図１に示す自動車４（車両の一例）の車室には、ステアリング入力装置２及び車載機器６が搭載されている。実施の形態に係るステアリング入力装置２は、ステアリングホイール８及び入力装置１００を備えている。
【００３２】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００３３】
入力装置１００は、車載機器６を操作するためのものであり、例えばステアリングホイール８のスポーク１４に配置されている。図２に示すように、ユーザである運転者は、リム１２を握っている右手の指１８（操作物体の一例）で入力装置１００に対して入力を行うことにより、車載機器６を操作することができる。入力装置１００の構成については後で詳述する。
【００３４】
車載機器６は、例えばコンパクトディスク等の光ディスクを再生するためのオーディオ機器である。車載機器６は、例えばダッシュボード２０内に配置されている。車載機器６の構成については後で詳述する。
【００３５】
［１−２．入力装置の構成］
次に、図３〜図７を参照しながら、実施の形態に係る入力装置１００の構成について説明する。図３は、実施の形態に係る入力装置１００の外観斜視図である。図４は、実施の形態に係る入力装置１００を前側から見た正面図である。図５は、実施の形態に係る入力装置１００の分解斜視図である。図６は、図４のＶＩ−ＶＩ断面図である。図７は、図４のＶＩＩ−ＶＩＩ断面図である。
【００３６】
図３〜図７に示すように、実施の形態に係る入力装置１００は、筐体１１１と、第１操作部１１２と、導光体１１３と、第１支持部１１４と、軸体１１５と、第２操作部１１６と、第２支持部１１７と、基板１１８とを備える。
【００３７】
筐体１１１は、入力装置１００の前面側（Ｚ軸方向プラス側）を覆う部材である。
【００３８】
第１操作部１１２は、運転者により操作されることにより、背面側（Ｚ軸方向マイナス側）に設けられる基板１１８に実装されている４つのスイッチ１５１〜１５４のいずれかを選択的に押圧する部材である。第１操作部１１２は、第１支持部１１４、軸体１１５及び第２支持部１１７により２軸で揺動可能に支持されている。具体的には、第１操作部１１２は、Ｘ軸方向及びＹ軸方向に平行な方向を軸として揺動可能に支持されている。
【００３９】
例えば、第１操作部１１２のＹ軸方向マイナス側の部位１２５が運転者によって押された場合に、当該部位１２５が軸体１１５のＸ軸方向に平行な第１軸を中心に揺動し、基板１１８の当該部位１２５に対応する位置に配置されているスイッチ１５１を押圧する。また、第１操作部１１２は、第１操作部１１２のＸ軸方向プラス側の部位１２６が運転者によって押された場合に、当該部位１２６が軸体１１５のＹ軸方向に平行な第２軸を中心に揺動し、基板１１８の当該部位１２６に対応する位置に配置されているスイッチ１５２を押圧する。なお、同様に、第１操作部１１２のＹ軸方向プラス側の部位１２７が押された場合は、当該部位１２７に対応する位置に配置されているスイッチ１５３を押圧し、第１操作部１１２のＸ軸方向マイナス側の部位１２８が押圧された場合は、当該部位１２８に対応する位置に配置されているスイッチ１５４を押圧する。
【００４０】
導光体１１３は、基板１１８に実装されている光源１６１〜１６４から発光された光を、スイッチ１５１からスイッチ１５１の押圧方向とは反対方向（Ｚ軸方向プラス側）に向けて光を導く。導光体１１３は、具体的には、基板１１８の前側に、４つのスイッチ１５１〜１５４に対応して４つ設けられている。導光体１１３は、透明な材料により構成されており、例えば、アクリル樹脂や、ポリカーボネート樹脂等により構成されている。導光体１１３の具体的な構成については後述する。
【００４１】
第１支持部１１４は、第１操作部１１２及び導光体１１３を支持する部材である。また、第１支持部１１４は、軸体１１５を第２軸で揺動可能に支持している。
【００４２】
第２支持部１１７は、第２操作部１１６を支持する部材である。また、第２支持部１１７は、軸体１１５を２軸に揺動可能なように支持している。
【００４３】
すなわち、第１支持部１１４と第２支持部１１７とは互いに干渉しないように配置されている。そして、第１支持部１１４は、第２支持部１１７に対して軸体１１５を介することで、２軸に揺動することができる。よって、第１操作部１１２は、２軸に揺動することができる。
【００４４】
第２操作部１１６は、第２支持部１１７に対してＺ軸方向にスライド可能に支持されており、Ｚ軸方向マイナス側に押された場合、基板１１８の中央に配置されるスイッチ１５５を押圧する。第２操作部１１６は、運転者に押圧される押圧部１７１と、導光体１７２と、第２支持部１１７に対してＺ軸方向にスライド可能に支持されているスライド部１７３とを有する。第２操作部１１６は、押圧部１７１、導光体１７２およびスライド部１７３が組み立てられることにより、一体に構成されている。
【００４５】
押圧部１７１は、導光体１７２のＺ軸方向プラス側に配置される部材である。押圧部１７１は、第１操作部１１２と同様に、導光体１７２においてスイッチ１５５の押圧方向とは反対方向に向けて導かれた光を透過する、透明な材料により構成されている。
【００４６】
導光体１７２は、基板１１８に実装されている光源１６５から発光された光を、スイッチ１５５からスイッチ１５５の押圧方向とは反対方向（Ｚ軸方向プラス側）に向けて光を導く。導光体１７２は、透明な材料により構成されており、例えば、アクリル樹脂や、ポリカーボネート樹脂等により構成されている。導光体１７２の具体的な構成については後述する。
【００４７】
スライド部１７３は、押圧部１７１が運転者によって押された場合に、押圧部１７１を介して、運転者からの力を受けて、第２支持部１１７に対してＺ軸方向にスライドする。これにより、スライド部１７３は、基板１１８のスイッチ１５５を押圧する。
【００４８】
第１支持部１１４、軸体１１５、第２操作部１１６及び第２支持部１１７は、例えば、不透明な樹脂により構成されている。
【００４９】
基板１１８は、複数のスイッチ１５１〜１５５と、光源としての複数の光源１６１〜１６５とを有する配線基板である。複数のスイッチ１５１〜１５５及び複数の光源１６１〜１６５は、基板１１８の前面側（Ｚ軸方向プラス側）の主面に実装されている。このため、簡単な構成で、複数のスイッチ１５１〜１５５と、複数の光源１６１〜１６５とを配置することができる。
【００５０】
複数のスイッチ１５１〜１５５のそれぞれは、押圧式のスイッチである。具体的には、複数のスイッチ１５１〜１５５のそれぞれは、押圧されることにより、予め設定されている機能をオンにしたりオフにしたりすることができるスイッチである。
【００５１】
複数の光源１６１〜１６４は、４つの導光体１１３に対応して配置され、１つの導光体１１３に対応する２つの第１光源及び第２光源を有する。つまり、光源１６１は、第１光源１６１ａ及び第２光源１６１ｂを有する。光源１６２は、第１光源１６２ａ及び第２光源１６２ｂを有する。光源１６３は、第１光源１６３ａ及び第２光源１６３ｂを有する。光源１６４は、第１光源１６４ａ及び第２光源１６４ｂを有する。同様に、光源１６５は、導光体１７２に対応して配置され、導光体１７２に対応する２つの第１光源１６５ａ及び第２光源１６５ｂを有する。複数の光源１６１〜１６５のそれぞれは、例えば、ＬＥＤ（Ｌｉｇｈｔ  Ｅｍｉｔｔｉｎｇ  Ｄｉｏｄｅ）により構成されている。
【００５２】
また、複数のスイッチ１５１〜１５５は、基板１１８の主面の互いに異なる位置に配置されている。同様に、複数の光源１６１〜１６５は、基板１１８の主面の互いに異なる位置に配置されている。さらに、第１光源１６１ａ〜１６５ａと、第２光源１６１ｂ〜１６５ｂとは、基板１１８の主面の互いに異なる位置に配置されている。
【００５３】
なお、第１操作部１１２および第２操作部１１６の押圧部１７１は、透光性を有する材料により構成されており、例えば、樹脂により構成されている。第１操作部１１２および押圧部１７１は、スモークに着色されていることが好ましい。これにより、基板１１８に実装されている光源１６１〜１６５が発光している場合には、導光体１１３に形成されている第１意匠１４１及び第２意匠１４２、または、導光体１７２に形成されている第１意匠１９１および第２意匠１９２が発光している光をＺ軸方向プラス側に出射させることができ、当該光源１６１〜１６５が発光していない場合には、内部の部品が運転者によって視認される可能性を低減させることができる。
【００５４】
［１−３．導光体の構成］
［１−３−１．導光体１７２の構成］
次に、図８〜図１１を参照しながら、実施の形態に係る導光体１７２の構成について説明する。図８は、第１意匠が表示されているときの導光体１７２をＺ軸方向プラス側から見た正面図である。図９は、第１意匠が表示されているときの導光体１７２と第１光源１６５ａ及び第２光源１６５ｂとの関係を示す斜視図である。図１０は、第２意匠が表示されているときの導光体１７２をＺ軸方向プラス側から見た正面図である。図１１は、第２意匠が表示されているときの導光体１７２と第１光源１６５ａ及び第２光源１６５ｂとの関係を示す斜視図である。図１２は、導光体１７２のＸ−Ｙ平面による断面図である。
【００５５】
図８に示すように、導光体１７２には、第１意匠１９１が形成されている。第１意匠１９１は、操作モードの切り替えを示す「ＭＯＤＥ」の形状を有する。また、図１０に示すように、導光体１７２には、第２意匠１９２が形成されている。第２意匠１９２は、第１意匠１９１とは異なる形状を有する。第２意匠１９２は、例えば、決定を示す円形の形状を有する。なお、第１意匠１９１及び第２意匠１９２は、互いに異なる形状であれば、どのような形状を有していてもよい。
【００５６】
次に、導光体１７２の形状について、図９、図１１および図１２を用いて説明する。
【００５７】
図９及び図１１に示すように、導光体１７２は、出射部１８１と、第１導光脚部１８２と、第２導光脚部１８３とを有する。
【００５８】
出射部１８１は、スイッチ１５５の反対方向側（Ｚ軸方向プラス側）に設けられ、第１光源１６５ａ又は第２光源１６５ｂにより発光された光をＺ軸方向プラス側に向けて出射する。出射部１８１は、平板状の部位であり、Ｘ−Ｙ平面に略平行に配置されている。出射部１８１は、第１意匠１９１と、第２意匠１９２とを有する。第１意匠１９１は、第１光源１６５ａにより発光された第１光をＺ軸方向プラス側に向けて反射することで発光する。第２意匠１９２は、第２光源１６５ｂにより発光された第２光をＺ軸方向プラス側に向けて反射することで発光する。また、第１意匠１９１と第２意匠１９２との少なくとも一部は、後述する図１３に示すように、互いに重なるように形成されている。
【００５９】
第１導光脚部１８２は、出射部１８１に接続され、第１光源１６５ａにより発光された第１光を出射部１８１に導く。第１導光脚部１８２は、板状の部位であり、第１反射面１８４を有する。
【００６０】
第１反射面１８４は、図１２に示すように、第１導光脚部１８２における、第１導光脚部１８２の厚み方向（Ｙ軸方向）および第１光を導く第１導光方向（Ｚ軸方向）に交差（略直交）する第１幅方向（Ｘ軸方向）に面する。また、第１反射面１８４は、階段形状の面のうちの第１幅方向（Ｘ軸方向）に面する複数の第１脚部側面１８４ａ〜１８４ｃにより構成され、第１光を反射する面である。複数の第１脚部側面１８４ａ〜１８４ｃは、階段形状の面のうちの第１幅方向（Ｘ軸方向）に面する面であるため、第１光源１６５ａからのＸ軸方向（第１光の出射方向（Ｚ軸方向）に略垂直な方向）における距離がそれぞれ異なる位置に形成されている。複数の第１脚部側面１８４ａ〜１８４ｃは、本実施の形態では、３つ設けられ、それぞれが、Ｙ軸方向において、第１導光脚部１８２の厚みの略１／３の幅を有する。つまり、複数の第１脚部側面１８４ａ〜１８４ｃは、第１導光脚部１８２の厚みが第１脚部側面の数で等分された幅を有していてもよい。なお、本実施の形態では、複数の第１脚部側面１８４ａ〜１８４ｃは、３つ設けられているが、複数であれば３つに限らない。
【００６１】
また、複数の第１脚部側面１８４ａ〜１８４ｃは、第１導光脚部１８２の幅方向（Ｘ軸方向）の両側に形成されており、両側に形成されている複数の第１脚部側面１８４ａ〜１８４ｃは、互いに対応した形状を有する。本実施の形態では、複数の第１脚部側面１８４ａ〜１８４ｃは、Ｙ軸方向プラス側に向かうほど、Ｘ軸方向における幅が段階的に狭くなる段差形状により形成されている面である。つまり、互いに対向する第１脚部側面１８４ａの間隔よりも、互いに対向する第１脚部側面１８４ｂの間隔の方が大きい。また、互いに対向する第１脚部側面１８４ｂの間隔よりも、互いに対向する第１脚部側面１８４ｃの間隔の方が大きい。なお、本実施の形態では、Ｙ軸方向プラス側に向かうほど、Ｘ軸方向における幅が段階的に狭くなる段差形状により形成されている面であるとしたが、Ｙ軸方向プラス側に向かうほど、Ｘ軸方向における幅が段階的に広くなる段差形状により形成されている面であってもよい。
【００６２】
また、第１導光脚部１８２は、Ｘ軸方向の両端が段差形状を有していなくてもよく、一端のみが段差形状を有していてもよい。
【００６３】
第１反射面１８４は、Ｚ軸方向（押圧方向）から見て、Ｚ軸方向に傾いて配置されてもよい。
【００６４】
また、第１導光脚部１８２は、具体的には、出射部１８１のＹ軸方向プラス側の端部から、所定の角度で曲がっている曲面部分１８２ａを介して、第１光源１６５ａに向かってＺ軸方向に略平行に延びている部位である。つまり、第１導光脚部１８２は、出射部１８１に対して曲面部分１８２ａにより接続されている。
【００６５】
第２導光脚部１８３は、出射部１８１に接続され、第２光源１６５ｂにより発光された第２光を出射部１８１に導く。第２導光脚部１８３は、板状の部位であり、第２反射面１８５を有する。
【００６６】
第２反射面１８５は、図１２に示すように、第２導光脚部１８３における、第２導光脚部１８３の厚み方向（Ｘ軸方向）および第２光を導く第２導光方向（Ｚ軸方向）に交差（略直交）する第２幅方向（Ｙ軸方向）に面する。また、第２反射面１８５は、階段形状の面のうちの第２幅方向（Ｙ軸方向）に面する複数の第２脚部側面１８５ａ〜１８５ｃにより構成され、第２光を反射する面である。複数の第２脚部側面１８５ａ〜１８５ｃは、階段形状の面のうちの第２幅方向（Ｙ軸方向）に面する面であるため、第２光源１６５ｂからのＹ軸方向（第２光の出射方向（Ｚ軸方向）に略垂直な方向）における距離がそれぞれ異なる位置に形成されている。複数の第２脚部側面１８５ａ〜１８５ｃは、本実施の形態では、３つ設けられ、それぞれが、Ｘ軸方向において、第２導光脚部１８３の厚みの略１／３の幅を有する。つまり、複数の第２脚部側面１８５ａ〜１８５ｃは、第２導光脚部１８３の厚みが第２脚部側面の数で等分された幅を有していてもよい。なお、本実施の形態では、複数の第２脚部側面１８５ａ〜１８５ｃは、３つ設けられているが、複数であれば３つに限らない。
【００６７】
また、複数の第２脚部側面１８５ａ〜１８５ｃは、第２導光脚部１８３の幅方向（Ｙ軸方向）の両側に形成されており、両側に形成されている複数の第２脚部側面１８５ａ〜１８５ｃは、互いに対応した形状を有する。本実施の形態では、複数の第２脚部側面１８５ａ〜１８５ｃは、Ｘ軸方向プラス側に向かうほど、Ｙ軸方向における幅が段階的に狭くなる段差形状により形成されている面である。つまり、互いに対向する第２脚部側面１８５ａの間隔よりも、互いに対向する第２脚部側面１８５ｂの間隔の方が大きい。また、互いに対向する第２脚部側面１８５ｂの間隔よりも、互いに対向する第２脚部側面１８５ｃの間隔の方が大きい。なお、本実施の形態では、Ｘ軸方向プラス側に向かうほど、Ｙ軸方向における幅が段階的に狭くなる段差形状により形成されている面であるとしたが、Ｘ軸方向プラス側に向かうほど、Ｙ軸方向における幅が段階的に広くなる段差形状により形成されている面であってもよい。
【００６８】
また、第２導光脚部１８３は、Ｙ軸方向の両端が段差形状を有していなくてもよく、一端のみが段差形状を有していてもよい。
【００６９】
第２反射面１８５は、Ｚ軸方向（押圧方向）から見て、Ｚ軸方向に傾いて配置されてもよい。
【００７０】
第２導光脚部１８３は、具体的には、出射部１８１のＸ軸方向プラス側の端部から、所定の角度で曲がっている曲面部分１８３ａを介して、第２光源１６５ｂに向かってＺ軸方向に略平行に延びている部位である。つまり、第２導光脚部１８３は、出射部１８１に対して曲面部分１８３ａにより接続されている。
【００７１】
ここで、上述したように、導光体１７２は、光源１６５が有する第１光源１６５ａ及び第２光源１６５ｂにまたがって配置されている。つまり、導光体１７２は、第１光源１６５ａ及び第２光源１６５ｂによる光を選択的に点灯させることにより、第１光源１６５ａの第１光によって第１意匠１９１を表示させたり、第２光源１６５ｂの第２光によって第２意匠１９２を表示させたりすることができる。
【００７２】
図９に示すように、第１光源１６５ａからの第１光は、第１導光脚部１８２をＺ軸方向プラス側（第３方向Ｄ３）に進行し、第１反射面１８４及び曲面部分１８２ａにおいて反射されながら出射部１８１に平行な方向に曲げられて、出射部１８１に入射する。また、図１１に示すように、第２光源１６５ｂからの第２光は、第２導光脚部１８３をＺ軸方向プラス側（第４方向Ｄ４）に進行し、第２反射面１８５及び曲面部分１８３ａにおいて反射されながら出射部１８１に平行な方向に曲げられて、出射部１８１に入射する。
【００７３】
次に、第１導光脚部１８２及び第２導光脚部１８３によって出射部１８１に導かれた第１光及び第２光は、出射部１８１において、それぞれ第１意匠１９１及び第２意匠１９２に向かって進行する。このとき、出射部１８１において第１光および第２光による、第１意匠１９１及び第２意匠１９２を表示することに寄与しない迷光が発生する可能性がある。このため、出射部１８１において迷光が発生することを抑制するために以下に説明する構成を有していてもよい。上記構成について、図１３及び図１４を用いて説明する。
【００７４】
図１３は、第１光源１６５ａ及び第２光源１６５ｂから発光された光の、導光体１７２の出射部１８１における経路を説明するための図である。図１４は、出射部１８１の第１意匠１９１および第２意匠１９２の一部を拡大した図である。
【００７５】
図１３に示すように、第１導光脚部１８２によって出射部１８１に導かれた第１光が第１意匠１９１に入射する第１方向Ｄ１と、第２導光脚部１８３によって出射部１８１に導かれた第２光が第２意匠１９２に入射する第２方向Ｄ２とは、互いに交差している。具体的には、第１方向Ｄ１と第２方向Ｄ２とは、略直交している。
【００７６】
また、図１４に示すように、第１意匠１９１は、第１方向Ｄ１に交差する第２方向Ｄ２に略平行な複数の傾斜面１９１ａにより構成されている。また、同様に、第２意匠１９２は、第１方向Ｄ１に略平行な複数の傾斜面１９２ａにより構成されている。これにより、第１意匠１９１は、第１方向Ｄ１に進む第１光を反射して、第２方向Ｄ２に進む第２光を反射しにくい構成である。また、第２意匠１９２は、第２方向Ｄ２に進む第２光を反射して、第１方向Ｄ１に進む第１光を反射しにくい構成である。
【００７７】
このように、第１方向Ｄ１と第２方向Ｄ２とは互いに交差しているため、第１光が第２意匠１９２に反射されること、または、第２光が第１意匠１９１に反射されることを低減することができる。つまり、第１意匠１９１又は第２意匠１９２が対応していない光を反射しないので、表示させようとしていない方の意匠がわずかに表示されてしまうことを低減することができる。
【００７８】
次に、導光体１７２における光の経路の詳細について、図１５および図１６を用いて説明する。
【００７９】
図１５および図１６は、本実施の形態における導光体１７２と、比較例の導光体２７２とにおける、第２光源１６５ｂからの第２光Ｌ２の経路について説明するための図である。図１５は、導光体１７２、２７２の斜視図において第２光Ｌ２の経路を示した図である。図１６は、導光体１７２、２７２の第２導光脚部１８３、２８３を正面視し、かつ、出射部１８１、２８１での導光経路を展開図的に仮想的に示した図である。
【００８０】
なお、以下では、第２導光脚部１８３について説明するが、第１導光脚部１８２も同様の構成を有するため、同様のことが言える。
【００８１】
図１５の（ａ）および図１６の（ａ）は、本実施の形態に係る導光体１７２の複数の第２脚部側面１８５ａ〜１８５ｃから構成される第２反射面１８５により反射される光の経路を示す図である。図１５の（ｂ）および図１６の（ｂ）は、比較例として１つの側面から構成される第２反射面２８５により反射される光の経路を示す図である。図１５および図１６では、第２光源１６５ｂ、２６５ｂから発せられる光のうち最も明るい角度の光である主ビームと、主ビーム以外の角度の光である副ビームとの光の経路を示している。
【００８２】
第２光源１６５ｂ、２６５ｂを構成しているＬＥＤは、所定の配光角を有するため、主ビーム以外の角度にも光が発せられている。このため、図９および図１１で示した主ビームによる光の経路以外にも、副ビームによる光の経路が生じている。図１５および図１６では、副ビームのうち、第２意匠１９２の所定の点Ｐ１により反射される代表的な副ビームを図示している。具体的には、図１５および図１６において図示している副ビームは、導光体１７２、２７２の第２導光脚部１８３、２８３の幅方向（Ｙ軸方向）の端部の側面に形成されている第２反射面１８５、２８５によって反射された光の経路を示す。
【００８３】
図１５の（ａ）および図１６の（ａ）に示すように、導光体１７２では、第２反射面１８５は、第２導光脚部１８３の厚み方向に３分割された３つの第２脚部側面１８５ａ〜１８５ｃにより構成される。このため、第２脚部側面１８５ａ〜１８５ｃのそれぞれで反射された光は、副ビームＡ〜Ｃで示すように異なる経路を通過する。
【００８４】
具体的には、Ｙ軸方向において第２光源１６５ｂに最も近い第２脚部側面１８５ａで反射される副ビームＡは、他の第２脚部側面１８５ｂ、１８５ｃで反射される副ビームＢ、Ｃと比較して、第２脚部側面１８５ａにおいて最も大きな角度で反射される。このため、副ビームＡは、出射部１８１においてＸ軸方向に近い角度で所定の点Ｐ１に導かれ、所定の点Ｐ１により反射される。
【００８５】
一方で、Ｙ軸方向において第２光源１６５ｂから最も遠い第２脚部側面１８５ｃで反射される副ビームＣは、他の第２脚部側面１８５ａ、１８５ｂで反射される副ビームＡ、Ｂと比較して、第２脚部側面１８５ｃにおいて最も小さな角度で反射される。このため、副ビームＣは、出射部１８１においてＸ軸方向に対して最も大きな角度で所定の点Ｐ１に導かれ、所定の点Ｐ１により反射される。
【００８６】
また、Ｙ軸方向において第２脚部側面１８５ａおよび第２脚部側面１８５ｃの間に配置される第２脚部側面１８５ｂで反射される副ビームＢは、第２脚部側面１８５ｂにおいて副ビームＡよりも小さな角度、かつ、副ビームＣよりも大きな角度で反射される。このため、副ビームＢは、出射部１８１においてＸ軸方向に対して副ビームＡよりも大きく、かつ、副ビームＢよりも小さな角度で所定の点１に導かれ、所定の点Ｐ１により反射される。
【００８７】
第２脚部側面１８５ａ〜１８５ｃは、第２導光脚部１８３のＹ軸方向の両側に設けられているため、副ビームＡ〜Ｃのそれぞれは、所定の点Ｐ１に対して、Ｙ軸方向の両側から導かれる。よって、所定の点Ｐ１では、Ｘ軸方向に対して最も大きい角度で導かれる副ビームＡにより規定される角度の範囲内において、主ビームおよび副ビームＡ〜Ｃが反射される。このため、所定の点Ｐ１では、所定の点Ｐ１からＺ軸方向プラス側に向かう光をＹ軸方向に所定の角度で広げた状態で反射させることができる。
【００８８】
また、所定の点Ｐ１だけでなく第２意匠１９２上の他の点に対しても同様であるため、第２意匠１９２において反射された光をＹ軸方向に所定の角度で広げることができると言える。また、第１意匠１９１についても、第１導光脚部１８２が第２導光脚部１８３と同様に複数の第１脚部側面１８４ａ〜１８４ｃにより構成される第１反射面１８４を有している。第１導光脚部１８２は、Ｘ軸方向の両側に第１反射面１８４を有しているため、第１意匠１９１において反射された光を、第２意匠１９２において反射された光と同様に、Ｘ軸方向に所定の角度で広げることができる。
【００８９】
これに対して、図１５の（ｂ）および図１６の（ｂ）に示すように、導光体２７２では、第２反射面２８５は、１つの側面から構成される。このため、主ビーム以外では副ビームＡのみが、第２意匠の所定の点Ｐ２により反射される。よって、所定の点Ｐ２では、主ビームおよび副ビームＡがＺ軸方向プラス側に反射される。第２反射面２８５は、第２反射面１８５の第２脚部側面１８５ｃと第２光源１６５ｂ、２６５ｂからのＹ軸方向の距離が同じ位置に配置されているとすれば、導光体２７２における副ビームＡは、導光体１７２における副ビームＡと同様の経路を通過する。このため、導光体２７２においても、副ビームＡは、Ｘ軸方向に対して大きな角度で所定の点Ｐ２に導かれることとなり、所定の点Ｐ２からＺ軸方向プラス側に向かう光をＹ軸方向に所定の角度で広げた状態で反射させることができる。しかしながら、導光体２７２の所定の点Ｐ２で反射される光は、導光体１７２の所定の点Ｐ１で反射される光と比較して、主ビームおよび副ビームＡしかないため、主ビームおよび副ビームＡの間では、光量が足りない状態となる。このため、主ビームおよび副ビームＡ以外の角度では、第２意匠の視認性が悪い。
【００９０】
このように、導光体１７２では、主ビームおよび副ビームＡ以外にも、主ビームおよび副ビームＡの間に副ビームＢ、ＣがＺ軸方向に向かって反射されるため、２つの副ビームＡの間の範囲において、光量を十分とすることができ、視認性をよくすることができる。
【００９１】
［１−３−２．導光体１７２の変形例１］
上記実施の形態の導光体１７２の代わりに導光体３７２を用いてもよい。導光体３７２の構成について、図１７および図１８を用いて説明する。
【００９２】
図１７は、変形例１に係る導光体３７２の斜視図である。図１７は、導光体３７２の第２光源１６５ｂからの第２光Ｌ２の経路について説明するための図である。図１８は、変形例１に係る導光体３７２の第２導光脚部３８３を正面視し、かつ、出射部１８１での導光経路を展開図的に仮想的に示した図である。
【００９３】
導光体３７２は、上記実施の形態の導光体１７２と比較して、第１導光脚部３８２および第２導光脚部３８３の形状が異なる。特に、第１導光脚部３８２は、上記実施の形態の導光体１７２と比較して、第１導光脚部３８２の、第１導光脚部３８２の厚み方向および第１導光方向に交差する第１幅方向に面し、第１光を反射する第１反射面３８４の形状が異なる。同様に、第２導光脚部３８３は、上記実施の形態の導光体１７２と比較して、第２導光脚部３８３の、第２導光脚部３８３の厚み方向および第２導光方向に交差する第２幅方向に面し、第２光を反射する第２反射面３８５の形状が異なる。なお、導光体３７２の出射部１８１は、導光体１７２の出射部１８１と同様の構成であるため、同じ符号を付している。
【００９４】
具体的には、第１反射面３８４は、第１導光方向（Ｚ軸方向）に対し互いに異なる角度で形成されている複数の第１脚部側面３８４ａ、３８４ｂにより構成されている。
【００９５】
第１脚部側面３８４ａは、例えば、第１導光脚部３８２の第１幅方向（Ｘ軸方向）の両外側に形成されている面である。第１脚部側面３８４ａは、互いに対向する一対の面であり、Ｚ軸方向マイナス側に向かうほど互いに近づくように傾斜している。
【００９６】
また、第１脚部側面３８４ｂは、例えば、第１脚部側面３８４ａのＺ軸方向プラス側に配置され、Ｘ−Ｚ平面に略平行な平面であり、第１導光脚部３８２の第１幅方向（Ｘ軸方向）の両外側に形成されている面である。つまり、第１脚部側面３８４ｂは、互いに対向する一対の面である。
【００９７】
また、第２反射面３８５は、第２導光方向（Ｚ軸方向）に対し互いに異なる角度で形成されている複数の第２脚部側面３８５ａ、３８５ｂにより構成されている。
【００９８】
第２脚部側面３８５ａは、例えば、第２導光脚部３８３のＹ軸方向の両外側に形成されている面である。第２脚部側面３８５ａは、互いに対向する一対の面であり、Ｚ軸方向マイナス側に向かうほど互いに近づくように傾斜している。
【００９９】
第２脚部側面３８５ｂは、例えば、第２脚部側面３８５ａのＺ軸方向プラス側に配置され、Ｙ−Ｚ平面に略平行な平面であり、第２導光脚部３８３のＹ軸方向の両外側に形成されている面である。つまり、第２脚部側面３８５ｂは、互いに対向する一対の面である。
【０１００】
次に、導光体３７２における光の経路の詳細について、説明する。なお、以下では、第２導光脚部３８３について説明するが、第１導光脚部３８２も同様の構成を有するため、同様のことが言える。
【０１０１】
まず、変形例１では、導光体１７２を導光体３７２に置き換えたため、光源には、上記実施の形態と同様に、第１光源１６５ａおよび第２光源１６５ｂが用いられる。したがって、上記実施の形態と同様に、主ビームの他にも副ビームによる光の経路が生じている。
【０１０２】
図１７および図１８に示すように、導光体３７２では、第２反射面３８５は、第２導光脚部３８３の長さ方向（Ｚ軸方向）に２分割された２つの第２脚部側面３８５ａ、３８５ｂにより構成される。このため、第２脚部側面３８５ａ、３８５ｂのそれぞれで反射された光は、副ビームＡ、Ｂで示すように異なる経路を通過する。
【０１０３】
具体的には、第２脚部側面３８５ａおよび第２脚部側面３８５ｂは、Ｚ軸方向に対して互いに異なる角度で形成されているため、第２光源１６５ｂから発せられた光を、出射部１８１の第２意匠の所定の点Ｐ３に向けて反射することができる。具体的には、第２脚部側面３８５ａは、第２脚部側面３８５ｂよりも、第２光源１６５ｂに対してＹ軸方向およびＺ軸方向の位置が近い。このため、第２脚部側面３８５ａにおいて反射される副ビームＡは、Ｚ軸方向に対して小さい角度で所定の点Ｐ３に導かれ、所定の点Ｐ３により反射される。一方で、第２脚部側面３８５ｂにおいて反射される副ビームＢは、副ビームＡよりもＺ軸方向に対して大きい角度で所定の点Ｐ３に導かれ、所定の点Ｐ３により反射される。つまり、異なる方向からの光を所定の点Ｐ３に向けて集めることができる。
【０１０４】
また、第２脚部側面３８５ａ、３８５ｂは、第２導光脚部３８３のＹ軸方向の両側に設けられているため、副ビームＡ、Ｂのそれぞれは、所定の点Ｐ３に対して、Ｙ軸方向の両側から導かれる。よって、所定の点Ｐ３では、Ｘ軸方向に対して最も大きい角度で導かれる副ビームＡにより規定される角度の範囲内において、主ビームおよび副ビームＡ、Ｂが反射される。このため、所定の点Ｐ３では、所定の点Ｐ３からＺ軸方向プラス側に向かう光をＹ軸方向に所定の角度で広げた状態で反射させることができる。
【０１０５】
また、所定の点Ｐ３だけでなく第２意匠１９２上の他の点に対しても同様であるため、第２意匠１９２において反射された光をＹ軸方向に所定の角度で広げることができると言える。また、第１意匠１９１についても、第１導光脚部３８２が第２導光脚部３８３と同様に複数の第１脚部側面３８４ａ、３８４ｂにより構成される第１反射面３８４を有している。第１導光脚部３８２は、Ｘ軸方向の両側に第１反射面３８４を有しているため、ため、第１意匠１９１において反射された光を、第２意匠１９２において反射された光と同様に、Ｘ軸方向に所定の角度で広げることができる。
【０１０６】
［１−３−３．導光体１７２の変形例２］
また、上記実施の形態の導光体１７２の代わりに導光体４７２を用いてもよい。導光体４７２の構成について、図１９を用いて説明する。
【０１０７】
図１９は、変形例２に係る導光体４７２の第２導光脚部４８３を正面視し、かつ、出射部１８１での導光経路を展開図的に仮想的に示した図である。
【０１０８】
導光体４７２は、上記実施の形態の導光体１７２と比較して、第１導光脚部４８２および第２導光脚部４８３の形状が異なる。特に、第１導光脚部４８２は、上記実施の形態の導光体１７２と比較して、第１導光脚部４８２の、第１導光脚部４８２の厚み方向および第１導光方向に交差する第１幅方向に面し、第１光を反射する第１反射面４８４の形状が異なる。同様に、第２導光脚部４８３は、上記実施の形態の導光体１７２と比較して、第２導光脚部４８３の、第２導光脚部４８３の厚み方向および第２導光方向に交差する第２幅方向に面し、第２光を反射する第２反射面４８５の形状が異なる。なお、導光体４７２の出射部１８１は、導光体１７２の出射部１８１と同様の構成であるため、同じ符号を付している。
【０１０９】
具体的には、第１反射面４８４は、Ｘ軸方向から見たときに、Ｚ軸方向に対して曲がっている曲面により構成されている。第１反射面４８４は、例えば、第１導光脚部４８２の第１幅方向（Ｘ軸方向）の両外側に形成されている面である。第１反射面４８４は、互いに対向する一対の面であり、Ｚ軸方向マイナス側に向かうにしたがって近づくように曲がっている。また、第１反射面４８４は、Ｙ軸方向から見たときに、外側に向かって凸の形状を有する曲面である。なお、第１反射面は、Ｙ軸方向から見たときに、外側に向かって凹の形状を有する曲面であってもよい。
【０１１０】
同様に、第２反射面４８５は、Ｙ軸方向から見たときに、Ｚ軸方向に対して曲がっている曲面により構成されている。第２反射面４８５は、例えば、第２導光脚部４８３の第２幅方向（Ｙ軸方向）の両外側に形成されている面である。第２反射面４８５は、互いに対向する一対の面であり、Ｚ軸方向マイナス側に向かうにしたがって近づくように曲がっている。また、第２反射面４８５は、Ｘ軸方向から見たときに、外側に向かって凸の形状を有する曲面である。なお、第２反射面は、Ｘ軸方向から見たときに、外側に向かって凹の形状を有する曲面であってもよい。
【０１１１】
次に、導光体４７２における光の経路の詳細について、説明する。なお、以下では、第２導光脚部４８３について説明するが、第１導光脚部４８２も同様の構成を有するため、同様のことが言える。
【０１１２】
まず、変形例２では、導光体１７２を導光体４７２に置き換えたため、光源には、上記実施の形態と同様に、第１光源１６５ａおよび第２光源１６５ｂが用いられる。したがって、上記実施の形態と同様に、主ビームの他にも副ビームによる光の経路が生じている。
【０１１３】
図１９に示すように、導光体４７２では、第２反射面４８５は、第２導光脚部４８３の長さ方向（Ｚ軸方向）に対して曲がっている曲面により構成される。このため、第２反射面４８５で反射された光は、Ｚ軸方向の異なる複数の位置に応じて異なる角度で反射され、副ビームＡ〜Ｃで示すように異なる経路を通過する。本実施の形態では、第２反射面４８５は、Ｚ軸方向マイナス側に向かうにしたがって近づくように曲がっている曲面であるため、第２反射面４８５の、第２光源１６５ｂに近い位置で反射される副ビームＡは、Ｚ軸方向に対して小さい角度で所定の点Ｐ４に導かれ、所定の点Ｐ４により反射される。一方で、第２反射面４８５の、第２光源１６５ｂに遠い位置で反射される副ビームＣは、Ｚ軸方向に対して副ビームＡよりも大きい角度で所定の点Ｐ４に導かれ、所定の点Ｐ４により反射される。また、第２反射面４８５の、第２光源１６５ｂに近い位置および遠い位置の間の位置で反射される副ビームＢは、Ｚ軸方向に対して副ビームＡよりも大きい角度であり、かつ、副ビームＢよりも小さい角度で所定の点Ｐ４に導かれ、所定の点Ｐ４により反射される。つまり、異なる方向からの光を所定の点Ｐ４に向けて集めることができる。
【０１１４】
また、第２反射面４８５は、第２導光脚部４８３のＹ軸方向の両側に設けられているため、副ビームＡ〜Ｃのそれぞれは、所定の点Ｐ４に対して、Ｙ軸方向の両側から導かれる。よって、所定の点Ｐ４では、Ｘ軸方向に対して最も大きい角度で導かれる副ビームＡにより規定される角度の範囲内において、主ビームおよび副ビームＡ〜Ｃが反射される。このため、所定の点Ｐ４では、所定の点Ｐ４からＺ軸方向プラス側に向かう光をＹ軸方向に所定の角度で広げた状態で反射させることができる。
【０１１５】
また、所定の点Ｐ４だけでなく第２意匠１９２上の他の点に対しても同様であるため、第２意匠１９２において反射された光をＹ軸方向に所定の角度で広げることができると言える。また、第１意匠１９１についても、第１導光脚部４８２が第２導光脚部４８３と同様に曲面で構成される第１反射面４８４を有している。第１導光脚部４８２は、Ｘ軸方向の両側に第１反射面４８４を有しているため、第１意匠１９１において反射された光を、第２意匠１９２において反射された光と同様に、Ｘ軸方向に所定の角度で広げることができる。
【０１１６】
［１−３−４．導光体１７２の変形例３］
また、上記実施の形態の導光体１７２の代わりに導光体５７２を用いてもよい。導光体５７２の構成について、図２０を用いて説明する。
【０１１７】
図２０は、変形例３に係る導光体５７２の構成を示す図である。図２０の（ａ）は、変形例３に係る導光体５７２の斜視図である。図２０の（ｂ）は、変形例３に係る導光体５７２の第２導光脚部５８３を正面視した図である。
【０１１８】
導光体５７２は、上記実施の形態の導光体１７２および変形例２の導光体３７２の両方の特徴を有する。第１導光脚部５８２の第１反射面５８４は、階段形状の面のうちの第１幅方向（Ｘ軸方向）に面する複数の第１脚部側面のそれぞれが、さらに、Ｚ軸方向に対して互いに異なる角度で形成されている複数の第１脚部側面により構成される。同様に、第２導光脚部５８３の第２反射面５８５は、階段形状の面のうちの第２幅方向（Ｙ軸方向）に面する複数の第２脚部側面のそれぞれが、さらに、Ｚ軸方向に対して互いに異なる角度で形成されている複数の第２脚部側面により構成される。
【０１１９】
［１−３−５．導光体１７２の変形例４］
また、上記実施の形態の導光体１７２の代わりに導光体６７２を用いてもよい。導光体６７２の構成について、図２１を用いて説明する。
【０１２０】
図２１は、変形例４に係る導光体６７２の構成を示す図である。図２１の（ａ）は、変形例４に係る導光体６７２の斜視図である。図２１の（ｂ）は、変形例４に係る導光体６７２の第２導光脚部６８３を正面視した図である。
【０１２１】
導光体６７２は、上記実施の形態の導光体１７２と比較して、複数の第１脚部側面６８４および複数の第２脚部側面６８５がＺ軸方向に略平行であることが異なる。導光体６７２のその他の構成は、導光体１７２と同様である。
【０１２２】
［１−３−６．導光体１１３の構成］
次に、図２２〜図２５を参照しながら、実施の形態に係る導光体１１３の構成について説明する。図２２は、第１意匠が表示されているときの導光体１１３をＺ軸方向プラス側から見た正面図である。図２３は、第１意匠が表示されているときの第１導光体１２１と第１光源１６１ａ及び第２光源１６１ｂとの関係を示す斜視図である。図２４は、第２意匠が表示されているときの導光体１１３をＺ軸方向プラス側から見た正面図である。図２５は、第２意匠が表示されているときの第１導光体１２１と第１光源１６１ａ及び第２光源１６１ｂとの関係を示す斜視図である。
【０１２３】
図２２及び図２４に示すように、導光体１１３は、第１導光体１２１と、第２導光体１２２と、第３導光体１２３と、第４導光体１２４とを有する。第１導光体１２１はＹ軸方向マイナス側に配置され、第２導光体１２２はＸ軸方向プラス側に配置され、第３導光体１２３はＹ軸方向プラス側に配置され、第４導光体１２４はＸ軸方向マイナス側に配置されている。
【０１２４】
図２２に示すように、各導光体１２１〜１２４には、第１意匠１４１が形成されている。第１意匠１４１は、各導光体１２１〜１２４が配置されている方向を指す鉤状の形状を有する。つまり、第１意匠１４１は、Ｘ軸方向両側及びＹ軸方向両側を指す、十字キーを示す形状を有する。また、図２４に示すように、各導光体１２１〜１２４には、第２意匠１４２が形成されている。第２意匠１４２は、第１意匠１４１とは異なる形状を有する。第２意匠１４２は、例えば、曲送り、曲戻し、音量増加、又は音量減少を示す形状を有する。なお、第１意匠１４１及び第２意匠１４２は、互いに異なる形状であれば、どのような形状を有していてもよい。
【０１２５】
次に、第１導光体１２１の形状について、図２３及び図２５を用いて説明する。なお、第２導光体１２２、第３導光体１２３及び第４導光体１２４は、第１意匠１４１及び第２意匠１４２の少なくとも一方が異なるだけであり、第１導光体１２１と同様の形状であるため、説明を省略する。
【０１２６】
図２３及び図２５に示すように、第１導光体１２１は、出射部１３１と、第１導光脚部１３２と、第２導光脚部１３３とを有する。
【０１２７】
出射部１３１は、スイッチ１５１の反対方向側（Ｚ軸方向プラス側）に設けられ、第１光源１６１ａ又は第２光源１６１ｂにより発光された光をＺ軸方向プラス側に向けて出射する。出射部１３１は、平板状の部位であり、Ｘ−Ｙ平面に略平行に配置されている。出射部１３１は、第１意匠１４１と、第２意匠１４２とを有する。第１意匠１４１は、第１光源１６１ａにより発光された第１光をＺ軸方向プラス側に向けて反射することで発光する。第２意匠１４２は、第２光源１６１ｂにより発光された第２光をＺ軸方向プラス側に向けて反射することで発光する。また、第１意匠１４１と第２意匠１４２との少なくとも一部は、後述する図２６に示すように、互いに重なるように形成されている。
【０１２８】
第１導光脚部１３２は、出射部１３１に接続され、第１光源１６１ａにより発光された第１光を出射部１３１に導く。第１導光脚部１３２は、板状の部位であり、第１反射面１３４を有する。第１反射面１３４は、第１導光脚部１３２の厚み方向に平行な面であって、第１光を反射する。第１反射面１３４は、Ｚ軸方向（押圧方向）から見て、Ｚ軸方向に傾いて配置される、第１導光脚部１３２の側面であってもよい。第１反射面１３４は、第１光源１６１ａのＺ軸方向プラス（押圧方向の反対方向）側に配置されていてもよい。第１反射面１３４は、変形例１の導光体３７２の構成と同様に、Ｚ軸方向に対し互いに異なる角度で形成されている複数の第１脚部側面１３４ａ〜１３４ｃにより構成されている。このため、変形例１の導光体３７２と同様の効果を奏する。また、第１反射面１３４は、変形例２のように、曲面で構成されていてもよい。また、図２３、図２５に示すように、３つの第１脚部側面１３４ａ〜１３４ｃのうち、第１脚部側面１３４ｂのみを曲面とするように構成してもよい。
【０１２９】
また、第１導光脚部１３２は、具体的には、出射部１３１のＹ軸方向マイナス側の端部から、所定の角度で曲がっている曲面部分１３１ａを介して、第１光源１６１ａに向かってＺ軸方向に略平行に延びている部位である。つまり、第１導光脚部１３２は、出射部１３１に対して曲面部分１３１ａにより接続されている。
【０１３０】
第２導光脚部１３３は、出射部１３１に接続され、第２光源１６１ｂにより発光された第２光を出射部１３１に導く。第２導光脚部１３３は、板状の部位であり、第２反射面１３５を有する。第２反射面１３５は、第２導光脚部１３３の厚み方向に平行な面であって、第２光を反射する。第２反射面１３５は、Ｚ軸方向（押圧方向）から見て、Ｚ軸方向に傾いて配置される、第２導光脚部１３３の側面であってもよい。第２反射面１３５は、第２光源１６１ｂのＺ軸方向プラス（押圧方向の反対方向）側に配置されていてもよい。第２反射面１３５は、変形例１の導光体３７２の構成と同様に、Ｚ軸方向に対し互いに異なる角度で形成されている複数の第２脚部側面１３５ａ〜１３５ｃにより構成されている。このため、変形例１の導光体３７２と同様の効果を奏する。また、第２反射面１３５は、変形例２のように、曲面で構成されていてもよい。また、図２３、図２５に示すように、３つの第２脚部側面１３５ａ〜１３５ｃのうち、第１脚部側面１３５ｂのみを曲面とするように構成してもよい。
【０１３１】
第２導光脚部１３３は、具体的には、出射部１３１のＹ軸方向マイナス側の端部から、所定の角度で曲がっている曲面部分１３１ａを介して、第２光源１６１ｂに向かってＺ軸方向に略平行に延びている部位である。つまり、第２導光脚部１３３は、出射部１３１に対して曲面部分１３１ａにより接続されている。
【０１３２】
このように、第１導光脚部１３２及び第２導光脚部１３３は、同じ曲面部分１３１ａにより、出射部１３１に接続されている。よって、第１導光脚部１３２と、第２導光脚部１３３とは、略同一面上に配置される。このため、第１導光脚部１３２および第２導光脚部１３３は、出射部１３１に対して同じ側（つまりＹ軸方向マイナス側）に配置されることになる。これにより、第１導光体１２１のＹ軸方向の幅が小さくなるので、入力装置１００のコンパクト化が可能となる。
【０１３３】
また、第１導光脚部１３２の第１反射面１３４と、第２導光脚部１３３の第２反射面１３５とは、Ｚ軸方向マイナス側に向かうほど、互いに離れる方向に傾いて配置される。また、第１反射面１３４は、Ｚ軸方向プラス側およびＸ軸方向プラス側に対して開放されている面である。第２反射面１３５は、Ｚ軸方向プラス側およびＸ軸方向マイナス側に開放されている面である。
【０１３４】
ここで、上述したように、各導光体１２１〜１２４は、４つの光源１６１〜１６４のそれぞれが有する第１光源１６１ａ〜１６４ａ及び第２光源１６１ｂ〜１６４ｂにまたがって配置されている。つまり、各導光体１２１〜１２４は、複数の光源１６１〜１６４のそれぞれについて、第１光源１６１ａ〜１６４ａ及び第２光源１６１ｂ〜１６４ｂによる光を選択的に点灯させることにより、第１光源１６１ａ〜１６４ａの第１光によって第１意匠１４１を表示させたり、第２光源１６１ｂ〜１６４ｂの第２光によって第２意匠１４２を表示させたりすることができる。
【０１３５】
本実施の形態では、入力装置１００は、複数の動作モードで動作する。例えば、入力装置１００は、第１動作モードとしてのメニュー選択モードと、第２動作モードとしての音楽プレイヤーモードとの２種類の動作モードで動作する。入力装置１００は、所定の切り替え手段によって切り替えられた動作モードに応じて、複数のスイッチ１５１〜１５５のそれぞれに予め設定されている機能が切り替えられる。所定の切り替え手段は、他のスイッチのオンオフや、音声認識、ジェスチャ認識など様々な切り替え手段が考えられる。
【０１３６】
また、入力装置１００では、動作モードに応じて、割り当てられる複数のスイッチへの機能と、光源の各組が発光する機能とが対応している。例えば、第１動作モードにおいては、複数のスイッチ１５１〜１５５は、メニューを選択するために選択されている項目を移動させるための十字キーと、選択されている項目を設定させるための決定キーとして機能する。また、第２動作モードにおいては、複数のスイッチ１５１〜１５５は、音楽プレイヤーの曲送り、曲戻し、音量増加、音量減少、再生／停止などのキーとして機能する。
【０１３７】
そこで、本実施の形態では、動作モードに応じて、第１光源１６１ａ〜１６４ａ及び第２光源１６１ｂ〜１６４ｂのうちの１つを選択的に点灯させることで、第１動作モードでは、第１意匠１４１が表示されるようにし、第２動作モードでは、第２意匠１４２が表示されるようにしている。同様にして、動作モードに応じて、第１光源１６５ａ及び第２光源１６５ｂのうちの１つを選択的に点灯させることで、第２操作部１１６に、第１動作モードでは、第１意匠が表示されるようにし、第２動作モードでは、第１意匠とは異なる第２意匠が表示されるようにしている。
【０１３８】
具体的には、複数の光源１６１〜１６５は、複数の光源１６１〜１６５のそれぞれが有する第１光源１６１ａ〜１６５ａ及び第２光源１６１ｂ〜１６５ｂの組において、第１光源１６１ａ〜１６５ａが点灯している状態のときは、第２光源１６１ｂ〜１６５ｂが消灯している状態となり、第２光源１６１ｂ〜１６５ｂが点灯しているときは、第１光源１６１ａ〜１６５ａが消灯している状態となる。つまり、動作モードが第１動作モードであるか第２動作モードであるかに応じて、第１光源１６１ａ〜１６５ａが点灯しており、かつ、第２光源１６１ｂ〜１６５ｂが消灯している第１状態と、第２光源１６１ｂ〜１６５ｂが点灯しており、かつ、第１光源１６１ａ〜１６５ａが消灯している第２状態とのいずれかに選択的に遷移する。本実施の形態では、複数のスイッチ１５１〜１５５の動作モードが第１動作モードである場合に、複数の光源１６１〜１６５は、第１意匠１４１を表示させる第１状態となる。複数のスイッチ１５１〜１５５の動作モードが第２動作モードである場合に、複数の光源１６１〜１６５は、第２意匠１４２を表示させる第２状態となる。
【０１３９】
なお、外部のスイッチなどにより、複数のスイッチ１５１〜１５５がオフの状態となっていれば複数の光源１６１〜１６５の全てが消灯している状態となっていてもよい。
【０１４０】
図２３に示すように、第１光源１６１ａからの第１光は、第１導光脚部１３２をＺ軸方向プラス側（第３方向Ｄ１３）に進行し、第１反射面１３４及び曲面部分１３１ａにおいて反射されながら出射部１３１に平行な方向に曲げられて、出射部１３１に入射する。また、図２５に示すように、第２光源１６１ｂからの第２光は、第２導光脚部１３３をＺ軸方向プラス側（第４方向Ｄ１４）に進行し、第２反射面１３５及び曲面部分１３１ａにおいて反射されながら出射部１３１に平行な方向に曲げられて、出射部１３１に入射する。
【０１４１】
次に、第１導光脚部１３２及び第２導光脚部１３３によって出射部１３１に導かれた第１光及び第２光は、出射部１３１において、それぞれ第１意匠１４１及び第２意匠１４２に向かって進行する。このとき、出射部１３１において第１光及び第２光による、第１意匠１４１及び第２意匠１４２を表示することに寄与しない迷光が発生する可能性がある。このため、出射部１３１において迷光が発生することを抑制するために以下に説明する構成を有していることが好ましい。上記構成について、図２６及び図２７を用いて説明する。
【０１４２】
図２６は、第１光源１６１ａ及び第２光源１６１ｂから発光された光の、第１導光体１２１の出射部１３１における経路を説明するための図である。図２７は、出射部１３１のうちの第１意匠１４１の一部を拡大した図である。
【０１４３】
図２６に示すように、第１導光脚部１３２によって出射部１３１に導かれた第１光が第１意匠１４１に入射する第１方向Ｄ１１と、第２導光脚部１３３によって出射部１３１に導かれた第２光が第２意匠１４２に入射する第２方向Ｄ１２とは、互いに交差している。具体的には、第１方向Ｄ１１と第２方向Ｄ１２とは、略直交している。
【０１４４】
また、図２７に示すように、第１意匠１４１は、第１方向Ｄ１１に交差する第２方向Ｄ１２に略平行な複数の傾斜面１４１ａにより構成されている。また、図示しないが、第２意匠１４２は、第１方向Ｄ１１に略平行な複数の傾斜面により構成されている。これにより、第１意匠１４１は、第１方向Ｄ１１に進む第１光を反射して、第２方向Ｄ１２に進む第２光を反射しにくい構成である。また、第２意匠１４２は、第２方向Ｄ１２に進む第２光を反射して、第１方向Ｄ１１に進む第１光を反射しにくい構成である。
【０１４５】
このように、第１方向Ｄ１１と第２方向Ｄ１２とは互いに交差しているため、第１光が第２意匠１４２に反射されること、または、第２光が第１意匠１４１に反射されることを低減することができる。つまり、第１意匠１４１又は第２意匠１４２が対応していない光を反射しないので、表示させようとしていない方の意匠がわずかに表示されてしまうことを低減することができる。
【０１４６】
また、出射部１３１は、第１段差面１３６と、第２段差面１３７とを有する。第１段差面１３６は、第１光が第１意匠１４１に入射する第１方向Ｄ１１の延長線上に配置され、かつ、第１方向Ｄ１１に交差し、かつ、第１方向Ｄ１１側が外部に開放されている面である。第２段差面１３７は、第２光が第２意匠１４２に入射する第２方向Ｄ１２の延長線上に配置され、かつ、第２方向Ｄ１２に交差し、かつ、第２方向Ｄ１２側が外部に開放されている面である。
【０１４７】
このため、第１意匠１４１に入射した光のうち、第１意匠１４１に反射されなかった光が出射部１３１のＹ軸方向プラス側の端部において第１方向Ｄ１１とは異なる方向に反射されることを低減できる。同様に、第２意匠１４２に入射した光のうち、第２意匠１４２に反射されなかった光が出射部１３１のＹ軸方向プラス側の端部において第２方向Ｄ１２とは異なる方向に反射されることを低減できる。これにより、第１意匠１４１及び第２意匠１４２の表示には関係しない光が出射部１３１内に留まることを低減でき、第１意匠１４１及び第２意匠１４２の１つを選択的に表示しているときに、出射部１３１の他の部位が光って表示されることを低減できる。
【０１４８】
また、第１段差面１３６は、複数形成されており、複数の第１段差面１３６は、第１方向Ｄ１１及び第２方向Ｄ１２に交差する第５方向Ｄ１５（Ｘ軸方向）の異なる位置に配置されている。同様に、第２段差面１３７は、複数形成されており、複数の第２段差面１３７は、Ｘ軸方向の異なる位置に配置されている。そして、複数の第１段差面１３６のそれぞれと、複数の第２段差面１３７のそれぞれとは、Ｘ軸方向に並んで交互に配置されている。
【０１４９】
このように、複数の第１段差面１３６のそれぞれと複数の第２段差面１３７のそれぞれとを同じＸ軸方向に交互に並んで配置するため、出射部１３１のうちの限られた領域に複数の第１段差面１３６と複数の第２段差面１３７とを配置できる。このため、より効果的に、第１意匠１４１及び第２意匠１４２の表示には関係しない光が出射部１３１内に留まることを低減でき、第１意匠１４１及び第２意匠１４２の１つを選択的に表示しているときに、他の部位が光って表示されることを低減できる。
【０１５０】
また、第１段差面１３６及び第２段差面１３７は、黒色に着色されていることが好ましい。このため、第１段差面１３６及び第２段差面１３７で第１光又は第２光が反射されることを低減できる。このため、より効果的に、第１意匠１４１及び第２意匠１４２の表示には関係しない光が出射部１３１内に留まることを低減でき、第１意匠１４１及び第２意匠１４２の１つを選択的に表示しているときに、他の部位が光って表示されることを低減できる。
【０１５１】
なお、導光体１７２の出射部１８１には、導光体１１３の出射部１３１に形成される第１段差面１３６及び第２段差面１３７に相当する構成を有していないが、第１段差面１３６および第２段差面１３７に相当する形状を有する構成であってもよい。
【０１５２】
［１−４．効果］
本実施の形態に係る入力装置１００によれば、導光体１７２の第１導光脚部１８２は、第１導光脚部１８２における、第１導光脚部１８２の厚み方向（Ｙ軸方向）および第１光を導く第１導光方向（Ｚ軸方向）に交差する第１幅方向（Ｘ軸方向）に面する第１反射面１８４を有する。第１反射面１８４は、階段形状の面のうちの第１幅方向（Ｘ軸方向）に面する複数の第１脚部側面１８４ａ〜１８４ｃにより構成され、第１光を反射する。また、導光体１７２の第２導光脚部１８３は、第２導光脚部１８３における、第２導光脚部１８３の厚み方向（Ｘ軸方向）および第２光を導く第２導光方向（Ｚ軸方向）に交差する第１幅方向（Ｙ軸方向）に面する第２反射面１８５を有する。第２反射面１８５は、階段形状の面のうちの第２幅方向（Ｙ軸方向）に面する複数の第２脚部側面１８５ａ〜１８５ｃにより構成され、第２光を反射する。
【０１５３】
このため、第１光は、第１導光脚部１８２の第１反射面１８４において、互いに異なる複数の角度で反射される。これにより、第１光は、出射部１８１の第１意匠１９１に異なる複数の角度で導かれることとなり、第１意匠１９１から所定の角度で広がった状態で反射される。また、第２光は、第２導光脚部１８３の第２反射面１８５において、互いに異なる複数の角度で反射される。これにより、第２光は、出射部１８１の第２意匠１９２に異なる複数の角度で導かれることとなり、第２意匠１９２から所定の角度で広がった状態で反射される。
【０１５４】
これらのことにより、第１意匠１９１および第２意匠１９２を、正面からだけでなく、正面から傾いた角度から見た場合でもユーザが視認しやすくできる。よって、２つの意匠の選択的な表示を、視認性よく実現することができる。
【０１５５】
また、本実施の形態に係る入力装置１００によれば、複数の第１脚部側面１８４ａ〜１８４ｃは、３以上であり、複数の第２脚部側面１８５ａ〜１８５ｃは、３以上である。
【０１５６】
このため、第１光は、３以上の複数の第１脚部側面１８４ａ〜１８４ｃを有する第１反射面１８４において、第２光は、３以上の複数の第２脚部側面１８５ａ〜１８５ｃを有する第２反射面１８５において、それぞれ反射されるので、第１意匠１９１および第２意匠１９２を、正面からさらに傾いた角度から見た場合でもユーザが視認しやすくできる。
【０１５７】
（他の実施の形態）
上記実施の形態では、導光体１１３は、変形例１の導光体３７２の構成と同様の構成を有するとしたが、これに限らずに、実施の形態の導光体１７２や変形例２〜４の導光体４７２、５７２、６７２の構成と同様の構成を有していてもよい。また、導光体１１３を構成する各導光体１２１〜１２４の全てを同じ構成としなくてもよく、導光体１２１〜１２４のそれぞれが、上記実施の形態、変形例１〜４のいずれかの構成であれば、互いに異なる構成であってもよい。
【０１５８】
上記実施の形態では、第３方向Ｄ３、Ｄ１３及び第４方向Ｄ４、Ｄ１４は、Ｚ軸方向に略平行な方向であり略等しい方向であるが、互いに異なる方向であってもよい。つまり、第１導光脚部１８２、３８２、４８２、５８２、６８２、１３２と第２導光脚部１８３、３８３、４８３、５８３、６８３、１３３とは、Ｚ軸方向に略平行な方向に延びているとしたが、互いに交差する方向に延びている構成としてもよい。
【０１５９】
以上、本発明の一つまたは複数の態様に係る入力装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１６０】
本発明は、コンパクトな構成で、２つの意匠の選択的な表示を効果的に実現することができる入力装置などとして有用である。
【符号の説明】
【０１６１】
２  ステアリング入力装置
４  自動車
６  車載機器
８  ステアリングホイール
１２  リム
１４  スポーク
１６  ホーンスイッチカバー
１８  指
２０  ダッシュボード
１００  入力装置
１１１  筐体
１１２  第１操作部
１１３、２２１、１７２、２７２、３７２、４７２、５７２、６７２  導光体
１１４  第１支持部
１１５  軸体
１１６  第２操作部
１１７  第２支持部
１１８  基板
１２１  第１導光体
１２２  第２導光体
１２３  第３導光体
１２４  第４導光体
１３１、１８１  出射部
１３２、１８２、２８２、３８２、４８２、５８２、６８２  第１導光脚部
１３２ａ、１８２ａ  曲面部分
１３３、１８３、２８３、３８３、４８３、５８３、６８３  第２導光脚部
１３３ａ、１８３ａ  曲面部分
１３４、１８４、２８４、３８４、５８４、６８４  第１反射面
１８４ａ〜１８４ｃ、３８４ａ、３８４ｂ  第１脚部側面
１３５、１８５、２８５、３８５、５８５、６８５  第２反射面
１８５ａ〜１８５ｃ、３８５ａ、３８５ｂ  第２脚部側面
１３６  第１段差面
１３７  第２段差面
１４１、１９１  第１意匠
１４１ａ  傾斜面
１４２、１９２  第２意匠
１５１〜１５５  スイッチ
１６１〜１６５  光源
１６１ａ〜１６５ａ  第１光源
１６１ｂ〜１６５ｂ  第２光源
Ｄ１、Ｄ１１  第１方向
Ｄ２、Ｄ１２  第２方向
Ｄ３、Ｄ１３  第３方向
Ｄ４、Ｄ１４  第４方向
Ｄ５  第５方向
Ｐ１〜Ｐ４  所定の点
【図１】
2018088335.tif 000003
【図２】
2018088335.tif 000004
【図３】
2018088335.tif 000005
【図４】
2018088335.tif 000006
【図５】
2018088335.tif 000007
【図６】
2018088335.tif 000008
【図７】
2018088335.tif 000009
【図８】
2018088335.tif 000010
【図９】
2018088335.tif 000011
【図１０】
2018088335.tif 000012
【図１１】
2018088335.tif 000013
【図１２】
2018088335.tif 000014
【図１３】
2018088335.tif 000015
【図１４】
2018088335.tif 000016
【図１５】
2018088335.tif 000017
【図１６】
2018088335.tif 000018
【図１７】
2018088335.tif 000019
【図１８】
2018088335.tif 000020
【図１９】
2018088335.tif 000021
【図２０】
2018088335.tif 000022
【図２１】
2018088335.tif 000023
【図２２】
2018088335.tif 000024
【図２３】
2018088335.tif 000025
【図２４】
2018088335.tif 000026
【図２５】
2018088335.tif 000027
【図２６】
2018088335.tif 000028
【図２７】
2018088335.tif 000029